(57)【要約】【課題】  画像表示装置が貸し出された場合でも機密情報の管理を向上させることができる画像表示管理装置及び画像表示管理システムを提供する。【解決手段】  配信する原稿をスキャナにセットすると（ステップＳ１２０１）、原稿をデジタル複合機がスキャンし、読み取られた原稿画像をプレビューする。管理者は、プレビュー画面を見ながら、送信する原稿をカテゴリー別に分ける（ステップＳ１２０２）。更に、管理者は送信先のカテゴリーを決定する（ステップＳ１２０３）。送信先のカテゴリー値の設定が終了すると、これらのカテゴリー分けの各結果に基づいて、ＩＤを割り当てたジョブを作成する（ステップＳ１２０４）。以上の動作が終了すると、スキャンされた画像に対して所定の画像処理を施し（ステップＳ１２０５）、その後、画像を電子ペーパーに送信する（ステップＳ１２０６）。【選択図】  図１０
2006345072.tif 000002
【特許請求の範囲】
【請求項１】
複数ページの画像データを蓄積し送信する画像データ蓄積装置、及び前記画像データ蓄積装置から送信された画像データをページ毎に表示する１又は２以上の画像表示装置の動作を管理する画像表示管理装置であって、
送信前の前記画像データの各ページに対してカテゴリー分けを行うページカテゴリー分け手段と、
前記１又は２以上の画像表示装置に対してカテゴリー分けを行う送信先カテゴリー分け手段と、
前記ページカテゴリー分け手段によるカテゴリー分けの結果及び前記送信先カテゴリー分け手段によるカテゴリー分けの結果に応じた一意の認証情報を備えたジョブを作成するジョブ作成手段と、
前記画像表示装置から認証情報を受信すると、前記画像データ蓄積装置に、当該認証情報に対応するジョブを当該画像表示装置に送信させる認証情報判別手段と、
を有することを特徴とする画像表示管理装置。
【請求項２】
前記画像データ蓄積装置は、原稿を読み取りデジタル画像データを生成する画像データ生成手段を有することを特徴とする請求項１に記載の画像表示管理装置。
【請求項３】
前記画像データ蓄積装置に蓄積された画像データを入力する入力手段と、
前記入力手段から入力された画像データをラスタ画像に展開する展開手段と、
前記ラスタ画像をサムネール画像にして前記画像データ蓄積手段に出力する出力手段と、
を有し、
前記ページカテゴリー分け手段は、前記画像データ蓄積手段において表示された前記サムネール画像を解して前記カテゴリー分けを行うことを特徴とする請求項１に記載の画像表示管理装置。
【請求項４】
前記画像データ蓄積装置から物理的に分離されていることを特徴とする請求項１乃至３のいずれか１項に記載の画像表示管理装置。
【請求項５】
前記画像表示装置から、当該画像データ装置においてどのページが表示されたかに関する情報を受信するページ情報受信手段と、
前記情報を記憶するページ情報記憶手段と、
を有することを特徴とする請求項１乃至４のいずれか１項に記載の画像表示管理装置。
【請求項６】
複数ページの画像データを蓄積し送信する画像データ蓄積装置、及び前記画像データ蓄積装置から送信された画像データをページ毎に表示する１又は２以上の画像表示装置の動作を管理する画像表示管理方法であって、
送信前の前記画像データの各ページに対してカテゴリー分けを行うページカテゴリー分けステップと、
前記１又は２以上の画像表示装置に対してカテゴリー分けを行う送信先カテゴリー分けステップと、
前記ページカテゴリー分けステップにおけるカテゴリー分けの結果及び前記送信先カテゴリー分けステップにおけるカテゴリー分けの結果に応じた一意の認証情報を備えたジョブを作成するジョブ作成ステップと、
前記画像表示装置から認証情報を受信すると、前記画像データ蓄積装置に、当該認証情報に対応するジョブを当該画像表示装置に送信させる認証情報判別ステップと、
を有することを特徴とする画像表示管理方法。
【請求項７】
複数ページの画像データを蓄積し送信する画像データ蓄積装置、及び前記画像データ蓄積装置から送信された画像データをページ毎に表示する１又は２以上の画像表示装置の動作をコンピュータに管理させるためのプログラムであって、
前記コンピュータに、
送信前の前記画像データの各ページに対してカテゴリー分けを行うページカテゴリー分け手順と、
前記１又は２以上の画像表示装置に対してカテゴリー分けを行う送信先カテゴリー分け手順と、
前記ページカテゴリー分け手順におけるカテゴリー分けの結果及び前記送信先カテゴリー分け手順におけるカテゴリー分けの結果に応じた一意の認証情報を備えたジョブを作成するジョブ作成手順と、
前記画像表示装置から認証情報を受信すると、前記画像データ蓄積装置に、当該認証情報に対応するジョブを当該画像表示装置に送信させる認証情報判別手順と、
を実行させることを特徴とするプログラム。
【請求項８】
複数ページの画像データを蓄積し送信する画像データ蓄積装置と、
前記画像データ蓄積装置から送信された画像データをページ毎に表示する１又は２以上の画像表示装置と、
前記画像データ蓄積装置及び前記画像表示装置の動作を管理する管理装置と、
を有する画像表示管理システムにおいて、
前記管理装置は、
送信前の前記画像データの各ページに対してカテゴリー分けを行うページカテゴリー分け手段と、
前記１又は２以上の画像表示装置に対してカテゴリー分けを行う送信先カテゴリー分け手段と、
前記ページカテゴリー分け手段によるカテゴリー分けの結果及び前記送信先カテゴリー分け手段によるカテゴリー分けの結果に応じた一意の認証情報を備えたジョブを作成するジョブ作成手段と、
前記画像表示装置から認証情報を受信すると、前記画像データ蓄積装置に、当該認証情報に対応するジョブを当該画像表示装置に送信させる認証情報判別手段と、
を有し、
前記画像表示装置は、
前記管理装置に認証情報を送信する認証情報送信手段と、
前記画像データ蓄積装置から受信したジョブを表示するページ表示手段と、
を有することを特徴とする画像表示管理システム。
【請求項９】
前記画像表示装置は、当該画像データ装置においてどのページが表示されたかに関する情報を前記管理装置に送信するページ情報送信手段を有し、
前記管理装置は、
前記画像表示装置から、当該画像データ装置においてどのページが表示されたかに関する情報を受信するページ情報受信手段と、
前記情報を記憶するページ情報記憶手段と、
を有することを特徴とする請求項８に記載の画像表示管理システム。
【請求項１０】
前記管理装置と前記画像表示装置とが一体化されていることを特徴とする請求項８又は９に記載の画像表示管理システム。
【発明の詳細な説明】
【技術分野】
【０００１】
本発明は、表示可能な画像の限定に好適な画像表示管理装置及び画像表示管理システムに関する。
【背景技術】
【０００２】
近年の情報化社会において、携帯情報端末に気軽に電子情報を蓄積し表示することができるようになり、その有効性が広く受け入れられている。一方で、ユーザがデータの消去を怠った端末から個人情報や機密情報が漏洩する危険性が高まっている。そこで、特定のアプリケーションプログラムを使用してネットワーク上の情報をダウンロードしたデータに関しては、アプリケーションプログラム終了時にすべて消去するシステムなどが考えられている。
【０００３】
以上のような携帯端末の普及に伴い、新たな情報表示デバイスとして軽量、安価な電子ペーパーの本格的な実用化に向けて各社で開発が進められている。例えば、特許文献１（特開２００４−３１８１２３号公報）に開示されている電子ペーパーや、非特許文献１（ＡＳＣＩＩ２０００年２月号２２０頁〜２２５頁）及び非特許文献２（ＡＳＣＩＩ３月号２４２頁〜２４７頁）に掲載される電子ペーパーが開発されている。また、２枚の基板間に挟まれた分散媒とよばれる液体中を粒子が移動する電気泳動現象を利用して文字を表示するようにした電子ペーパーも開発されている。電気泳動現象を利用した電子ペーパーは、電極に印加する正負を変えることで、液体中の帯電粒子の状態を変えて、外から入射する光の散乱光を表示に利用する反射型パネルを構成するものである。そして、この反射型パネルにＲＧＢのカラーフィルタを組み合わせればフルカラー表示も可能である。このような電子ペーパーは自由に曲がり持ち歩けるという紙の利点と、書き換えられるディスプレイの利点という特性を合わせ持っている。
【０００４】
このような電子ペーパーの使用態様として、例えば会議資料の提示目的などのために一時的に多数のユーザに貸し出されることが考えられる。会議資料などは機密情報を含む場合が多く、特定のユーザにだけ限定した資料を送付することが必要とされる。
【０００５】
しかしながら、従来のシステムでは、本来閲覧が許可されるべきではない資料までもがユーザに閲覧可能となってしまうことがある。また、資料を誰に送付したか、誰が資料のどの部分を閲覧したか等を把握することが望まれる場合もあるが、従来のシステムではこのような要望にこたえることができない。
【０００６】
また、特許文献２（特開２００３−８７４５４号公報）には、複数のユーザがアクセス可能な画像データの管理に関して、ユーザ毎にアクセス制限を設け、その度合いによってプレビューの可／不可を切り替えたり、解像度を変更したりすることが開示されている。この技術によれば、所期の目的は達成されるものの、上述のような送信先の限定等を行うことはできない。
【０００７】
【特許文献１】特開２００４−３１８１２３号公報
【特許文献２】特開２００３−８７４５４号公報
【非特許文献１】ＡＳＣＩＩ  ２０００年２月号２２０頁〜２２５頁
【非特許文献２】ＡＳＣＩＩ  ２０００年３月号２４２頁〜２４７頁
【発明の開示】
【発明が解決しようとする課題】
【０００８】
本発明は、画像表示装置が貸し出された場合でも機密情報の管理を向上させることができる画像表示管理装置及び画像表示管理システムを提供することを目的とする。
【課題を解決するための手段】
【０００９】
本願発明者は、前記課題を解決すべく鋭意検討を重ねた結果、以下に示す発明の諸態様に想到した。
【００１０】
本発明に係る画像表示管理装置は、複数ページの画像データを蓄積し送信する画像データ蓄積装置、及び前記画像データ蓄積装置から送信された画像データをページ毎に表示する１又は２以上の画像表示装置の動作を管理する画像表示管理装置であって、送信前の前記画像データの各ページに対してカテゴリー分けを行うページカテゴリー分け手段と、前記１又は２以上の画像表示装置に対してカテゴリー分けを行う送信先カテゴリー分け手段と、前記ページカテゴリー分け手段によるカテゴリー分けの結果及び前記送信先カテゴリー分け手段によるカテゴリー分けの結果に応じた一意の認証情報を備えたジョブを作成するジョブ作成手段と、前記画像表示装置から認証情報を受信すると、前記画像データ蓄積装置に、当該認証情報に対応するジョブを当該画像表示装置に送信させる認証情報判別手段と、を有することを特徴とする。
【００１１】
本発明に係る画像表示管理方法は、複数ページの画像データを蓄積し送信する画像データ蓄積装置、及び前記画像データ蓄積装置から送信された画像データをページ毎に表示する１又は２以上の画像表示装置の動作を管理する画像表示管理方法であって、送信前の前記画像データの各ページに対してカテゴリー分けを行うページカテゴリー分けステップと、前記１又は２以上の画像表示装置に対してカテゴリー分けを行う送信先カテゴリー分けステップと、前記ページカテゴリー分けステップにおけるカテゴリー分けの結果及び前記送信先カテゴリー分けステップにおけるカテゴリー分けの結果に応じた一意の認証情報を備えたジョブを作成するジョブ作成ステップと、前記画像表示装置から認証情報を受信すると、前記画像データ蓄積装置に、当該認証情報に対応するジョブを当該画像表示装置に送信させる認証情報判別ステップと、を有することを特徴とする。
【００１２】
本発明に係るプログラムは、複数ページの画像データを蓄積し送信する画像データ蓄積装置、及び前記画像データ蓄積装置から送信された画像データをページ毎に表示する１又は２以上の画像表示装置の動作をコンピュータに管理させるためのプログラムであって、前記コンピュータに、送信前の前記画像データの各ページに対してカテゴリー分けを行うページカテゴリー分け手順と、前記１又は２以上の画像表示装置に対してカテゴリー分けを行う送信先カテゴリー分け手順と、前記ページカテゴリー分け手順におけるカテゴリー分けの結果及び前記送信先カテゴリー分け手順におけるカテゴリー分けの結果に応じた一意の認証情報を備えたジョブを作成するジョブ作成手順と、前記画像表示装置から認証情報を受信すると、前記画像データ蓄積装置に、当該認証情報に対応するジョブを当該画像表示装置に送信させる認証情報判別手順と、を実行させることを特徴とする。
【００１３】
本発明に係る画像表示管理システムは、複数ページの画像データを蓄積し送信する画像データ蓄積装置と、前記画像データ蓄積装置から送信された画像データをページ毎に表示する１又は２以上の画像表示装置と、前記画像データ蓄積装置及び前記画像表示装置の動作を管理する管理装置と、を有する画像表示管理システムにおいて、前記管理装置は、送信前の前記画像データの各ページに対してカテゴリー分けを行うページカテゴリー分け手段と、前記１又は２以上の画像表示装置に対してカテゴリー分けを行う送信先カテゴリー分け手段と、前記ページカテゴリー分け手段によるカテゴリー分けの結果及び前記送信先カテゴリー分け手段によるカテゴリー分けの結果に応じた一意の認証情報を備えたジョブを作成するジョブ作成手段と、前記画像表示装置から認証情報を受信すると、前記画像データ蓄積装置に、当該認証情報に対応するジョブを当該画像表示装置に送信させる認証情報判別手段と、を有し、前記画像表示装置は、前記管理装置に認証情報を送信する認証情報送信手段と、前記画像データ蓄積装置から受信したジョブを表示するページ表示手段と、を有することを特徴とする。
【発明の効果】
【００１４】
本発明によれば、複数の画像表示装置に画像データが送信される場合であっても、画像表示装置毎に表示可能なものを限定することができる。このため、機密性をより向上させることができる。また、画像表示装置において表示されたページを管理装置に送信する構成を採用すれば、管理装置において、どの画像表示装置でどのページが表示されたかを把握することができる。
【発明を実施するための最良の形態】
【００１５】
以下、本発明の実施形態について添付の図面を参照して具体的に説明する。
【００１６】
（第１の実施形態）
先ず、本発明の第１の実施形態について説明する。図１は、本発明の第１の実施形態に係る画像表示管理システムの構成を示すブロック図である。
【００１７】
図１において、１５０はコンピュータ、サーバ等を示しており、データの保存や編集を実行する。２５０はデジタル複合機であり、原稿を光学的に読み取りデジタル画像データに変換後、プリントアウトするコピー機能、デジタル画像データを外部に送信する機能、外部から受信したデジタル画像データをプリントアウトする機能等を持つ。９００〜９０２は、電子ペーパーであり、デジタル画像を表示するための軽量で低消費電力のデバイスである。以上のデバイスがＬＡＮ５００上に接続されている。
【００１８】
次に、デジタル複合機２５０について説明する。図２は、デジタル複合機２５０の構成を示す図である。
【００１９】
＜画像入力（スキャナ）部＞
図２において、画像入力デバイスであるスキャナ部２００は、原稿となる紙上の画像を照明し、図示しないＣＣＤラインセンサを走査することで、ラスターイメージデータとして電気信号に変換する。原稿用紙は原稿フィーダ２０１のトレイ２０２にセットし、ユーザが操作部４００から読み取り起動指示することにより、コントローラＣＰＵ１０３がスキャナ２００に指示を与え、フィーダ２０１は原稿用紙を一枚ずつフィードし原稿画像の読み取り動作を行う。
【００２０】
＜画像出力（プリンタ）部＞
図２において、画像出力デバイスであるプリンタ部３００はラスターイメージデータを用紙上の画像に変換する部分であり、その方式は感光体ドラムや感光体ベルトを用いた電子写真方式、微少ノズルアレイからインクを吐出して用紙上に直接画像を印字するインクジェット方式等があるが、どの方式でも構わない。プリント動作の起動はコントローラＣＰＵ１０３からの指示によって開始する。プリンタ部３００は、異なる用紙サイズまたは異なる用紙向きを選択できるように複数の給紙段を持ち、それに対応した用紙カセット３０２、３０３、３０４及び３０５が装着される。また、排紙トレイ３０６は印字し終わった用紙を受けるものである。
【００２１】
＜コントローラユニット＞
スキャナ部２００及びプリンタ部３００の動作は、コントローラユニットにより制御される。図３は、コントローラユニットの構成を示すブロック図である。コントローラユニット１００は、画像入力装置であるスキャナ部２００及び画像出力装置であるプリンタ部３００に接続され、また、ＬＡＮ５００や電話回線６００と接続されている。そして、コントローラユニット１００は、画像情報やデバイス情報の入出力の制御を行う。主にＣＰＵ１０３がデジタル複合機２５０全体を制御する。ＲＡＭ１０７はＣＰＵ１０３が動作するためのシステムワークメモリであり、画像データを一時記憶するための画像メモリとしても利用される。ＲＯＭ１０８はブートＲＯＭとして利用され、デジタル複合機２５０のブートプログラムが格納されている。ＨＤＤ１０９はハードディスクドライブで、システムソフトウェア、画像データ等を格納する。このＨＤＤ１０９には、ネットワーク（ＬＡＮ５００）に接続されているノードに関する画像出力速度、設置位置などの情報がアドレスごとに保存される場合もある。操作部Ｉ／Ｆ１０４は操作部４００とのインターフェース部で、操作部４００に表示する画像データを操作部４００に対して出力する。また、操作部４００からユーザが入力した情報をＣＰＵ１０３に伝える役割も担っている。ネットワークＩ／Ｆ１０５はＬＡＮ５００に接続され、情報の入出力を行う。ＭＯＤＥＭ１０６は公衆回線６００に接続され、データ送受信を行うための変調復調処理を行う。これらのデバイスがシステムバス１０１上に配置される。
【００２２】
イメージバスＩ／Ｆ１１０にはシステムバス１０１と画像データを高速で転送するイメージバス１０２が接続されており、イメージバスＩ／Ｆ１１０はデータ構造を変換するバスブリッジとして機能する。イメージバス１０２は、ＰＣＩバスまたはＩＥＥＥ１３９４などの高速バスで構成される。イメージバス１０２上には以下のデバイスが配置される。ラスターイメージプロセッサ（ＲＩＰ）１１１はＰＤＬコードをラスタ画像に展開する。デバイスＩ／Ｆ部１１２は、画像入出力デバイスであるスキャナ２００やプリンタ３００とコントローラ１００を接続し、画像データの同期系／非同期系の変換を行う。スキャナ画像処理部７００は、入力画像データに対し補正、加工、編集を行う。プリンタ画像処理部８００は、プリント出力画像データに対して、プリンタに合わせた補正、解像度変換等を行う。画像圧縮部１１５は、多値画像データはＪＰＥＧ、２値画像データはＪＢＩＧ、ＭＭＲ、ＭＨの圧縮伸張処理を行う。
【００２３】
＜スキャナ画像処理部＞
図４は、スキャナ画像処理部７００の構成を示すブロック図である。イメージバスＩ／Ｆコントローラ７０１は、イメージバス１０２に接続され、そのバスアクセスシーケンスを制御すると共に、スキャナ画像処理部７００内の各デバイスの制御及びタイミングの発生を行う。テーブル処理部７０２は、読み取った輝度データをスキャナ特性を考慮して補正をするためのテーブル変換を行う。像域分離処理部７０３は、入力画像から文字部を検出することにより、像域を判定し、その後の画像処理に利用する像域信号を生成する。フィルタ処理部７０４は、エッジ強調などの目的に従ったデジタル空間フィルタでコンボリューション演算を行う。下地レベル検出部７０５は、画像１ページ内の画素値の頻度を集計し、背景に薄い色がある原稿を読み取った画像データ等が送られてきた場合に除去すべき下地レベルを検出する。編集部７０６は、例えば入力画像データからマーカーペンで囲まれた閉領域を認識して、その閉領域内の画像データに対して、影つけ、網掛け、ネガポジ反転等の画像加工処理を行う。処理が終了した画像データは、再び画像Ｉ／Ｆバスコントローラ７０１を介して、イメージバス１０２上に転送される。
【００２４】
＜プリンタ画像処理部＞
図５は、プリンタ画像処理部８００の構成を示すブロック図である。イメージバスＩ／Ｆコントローラ８０１は、イメージバス１０２に接続され、そのバスアクセスシーケンスを制御すると共に、プリンタ画像処理部８００内の各デバイスの制御及びタイミングの発生を行う。下地除去処理部８０２は、上記下地レベル検出部７０５で検出された下地レベルを基に、背景色を除去する。色変換処理部８０３は、プリンタの出力特性に合わせた色変換を行う。解像度変換部８０４は、ＬＡＮ５００あるいは電話回線６００から受信した画像データを、プリンタ３００の解像度に変換するための解像度変換を行う。スムージング処理部８０５は、解像度変換後の画像データのジャギーを滑らかにする処理を行う。
【００２５】
＜操作部＞
図６は、デジタル複合機の操作部４００を示す模式図である。液晶操作パネル４０１は液晶にタッチパネルを組み合わせたものであり、設定内容の表示、ソフトキーの表示等がなされるものである。スタートキー４０２はコピー動作等を開始指示するためのハードキーであり、内部に緑色及び赤色のＬＥＤが組み込まれており、スタート可能のときに緑色、スタート不可のときに赤色のＬＥＤが点灯する。ストップキー４０３は動作を停止させるときに使用するハードキーである。ハードキー群４０４には、テンキー、クリアキー、リセットキー、ガイドキー、ユーザモードキーが設けられている。
【００２６】
図７は、液晶操作パネル４０１に表示される通常の送信画面が示す図である。機能選択ボタン４２０〜４２３によって、コピー、送信、ボックス操作及び拡張機能のうちから利用する機能が選択される。図７は送信機能が選択されている状態を示している。宛先表示領域４２４には、現在設定されている送信先が表示される。「宛先表から検索」ボタン４２５は、予め機器内に保存されている宛先表又はネットワーク上で参照できる場所に保存されている宛先表から、送信先を選択する場合に押下されるボタンである。宛先表示領域４２４に表示されている宛先のうちの一つが選択状態なっている時に「詳細情報」ボタン４２６が押下されると、その宛先の詳細情報が宛先表示領域４２４に表示される。宛先表示領域４２４に表示されている宛先のうちの一つが選択状態になっている時に「消去」ボタン４２７が押下されると、選択されていた宛先が宛先表示領域４２４から消去される。「コール」ボタン４２８は、以前操作した送信機能の設定を呼び出す際に操作されるボタンである。
【００２７】
「新規宛先」ボタン４２９、定型業務ボタン４３７及びワンタッチボタン４３６はいずれか一つのみが選択可能である。図７は新規宛先が選択された状態を示している。「ファクス」ボタン４３０、「電子メール」ボタン４３１、「Ｉファクス」ボタン４３２、「ファイル」ボタン４３３、「ボックスに保管」ボタン４３４及び「電子ペーパー」ボタン４３５は、いずれも押下されると、宛先設定を直接入力できる画面に切り替わる。そして、切り替わった画面で宛先を設定しＯＫボタン（図示せず）を押下すると、設定した宛先が宛先表示領域４２４に追加される。
【００２８】
読み込み設定表示領域４３８には、現在設定されている読み込み解像度、カラーモード及び原稿タイプ等が表示される。ファイル形式表示領域４３９は現在設定されている送信時ファイル形式が表示される。送信設定ボタン４４０は、送信の詳細な設定を行うときに使用するものであり、押下すると送信の詳細設定のための画面が表示される。
【００２９】
＜電子ペーパー＞
図８は、ＥＰＤ（電気泳動現象を利用したディスプレイ）方式の表示部を示す断面図である。表示部は、スイッチング素子として薄膜トランジスタが設けられたＴＦＴ部９２２、接着剤層９２３、トナーをカプセル化したディスプレイ媒体９２４、及び樹脂素材９２５を備える。ディスプレイ媒体９２４においては、２枚のプラスチックフィルムの間に帯電したトナーが封じ込められている。そして、ＴＦＴ部９２２がディスプレイ媒体２０４に電場を印加すると、ディスプレイ媒体９２４内の帯電したトナーが極性に応じてどちらかの電極上に静電吸着し、その表面を被う。ここで、一方の電極を面積の小さな黒色、他方を面積の大きな白色にしておけば、コントラストを発生させて画像を形成することができる。このように、ＥＰＤ方式の表示部１０１は、トナーの面内分布を電気的に変化させて画像を形成する。なお、画像が形成された後には、電源の供給が断たれても、電極表面に吸着されたトナーはその状態を保持するため、表示画像には不揮発性がある。
【００３０】
ここで、ディスプレイ媒体９２４について説明する。ディスプレイ媒体９２４としては、種々のものを選択して用いることができる。ここでは、そのうちの４種について説明する。図４ａ乃至図４ｄは、ディスプレイ媒体２４の仕組みを示す図である。
【００３１】
図９ａは、電気泳動ディスプレイ１３０を示す模式図である。バインダ１３２は、複数の粒子１３６及び染色懸濁流体１３８を充填された少なくとも１つのカプセル１３４を含む。粒子１３６は、例えばチタニア粒子である。適切な極性の直流電界がカプセル１３４に印加される場合には、粒子１３６がディスプレイの視覚面へと移動して、光を散乱する。印加された電界が逆転される場合には、粒子１３６はディスプレイの背面に移動し、そしてディスプレイの視覚面は、暗く見える。
【００３２】
図９ｂは、他の電気泳動ディスプレイ１４０を示す模式図である。電気泳動ディスプレイ１４０では、第１のセットの粒子１４２及び第２のセットの粒子１４４がカプセル１４１内に含まれている。第１のセットの粒子１４２及び第２のセットの粒子１４４は、対照をなす光学特性を有する。例えば、第１のセットの粒子１４２及び第２のセットの粒子１４４は、相異なる電気泳動移動度を有し得る。また、第１のセットの粒子１４２及び第２のセットの粒子１４４は、互いに対照をなす色を有し得る。例えば、第１のセットの粒子１４２は白で、第２のセットの粒子１４４は黒であり得る。カプセル１４１は実質的に透明な流体をさらに含む。また、カプセル１４１を間に挟んで電極１４６及び１４６´が配置されている。電極１４６、１４６´は、電圧源４８に接続されており、カプセル１４１に交流（ＡＣ）電界又は直流（ＤＣ）電界を提供し得る。カプセル１４１に電界を印加すると、第１のセットの粒子１４２は電極１４６´に向かって移動するのに対し、第２のセットの粒子１４４は電極１４６に向かって移動する。
【００３３】
図９ｃは、懸濁粒子ディスプレイ１５０を示す模式図である。懸濁粒子ディスプレイ１５０は、透過な流体１５４中に針状の粒子１５２を含む。粒子１５２は、電極１５６及び１５６´間にＡＣ電界が印加されると、その長軸が向く方向を変化させる。即ち、ＡＣ電界が印加されると、粒子１５２は表示面に対して垂直に方向付けされて、ディスプレイは透明に見える。一方、ＡＣ電界が取り除かれると、粒子１５２は不規則に方向付けられて、ディスプレイ１５０は不透明に見える。
【００３４】
図９ｄは、複数の重クロム球体を含むディスプレイ１６０を示す模式図である。重クロム球体１６１は、第１の色の正に帯電された半球１６２及び第２の色の負に帯電された半球１６４を液状媒体１６６内に含む。電極１６８及び１６８’のペアを介して球体１６１に電界が印加されると、球体１６１が回転して２つの半球１６２、１６４のうち１つの色が表示される。
【００３５】
なお、図９ａ〜図９ｄに示した電気泳動ディスプレイは例であって、他の電気泳動ディスプレイが用いられてもよい。
【００３６】
＜画像表示管理処理＞
図１０は、管理者がデジタル複合機２５０で原稿を読み取り、その電子情報を電子ペーパー９００に送信する一連の流れを示すフローチャートである。
【００３７】
原稿の配信者（ここでは管理者）は、先ず、配信する原稿をスキャナにセットする（ステップＳ１２０１）。続いて、セットされた原稿をデジタル複合機２５０がスキャンし、読み取られた原稿画像をプレビューする。管理者は、プレビュー画面を見ながら、送信する原稿をカテゴリー別に分ける（ステップＳ１２０２）。図１２は、セットした原稿をカテゴリー分けするためのプレビュー画面の一例を示す図である。図１２に示す配信プレビューは、例えば、原稿の読み取りが終了すると表示される画面である。
【００３８】
スキャンされた原稿は、画面４６６にプレビューされ、タッチパネル上のボタン４６３又は４６４に触れることで、ページを昇順又は降順に移動して表示することができる。表示された各ページは、カテゴリー選択部４６５において「１」から「９」までのカテゴリーを独立に設定することができる。但し、設定できるカテゴリーの種類は９に限定されず、より多種類であってもよい。カテゴリー値は、ボタン４６８又は４６９に触れることで昇順又は降順に変更することが可能である。カテゴリー値の変更は、「ＯＫ」ボタン４６１に触れて初めて設定が有効になり、確定する。また、設定されたカテゴリー値は、「キャンセル」ボタン４６２に触れることで、初期化される。本実施形態では、カテゴリー値の初期値を例えば「１」としている。以上の設定が終了した後に、管理者が「設定終了」ボタン４６７に触れることで、送信原稿に対するカテゴリー設定が終了する。
【００３９】
続いて、管理者は送信先（相手）のカテゴリーを決定する（ステップＳ１２０３）。図１３は送信先のカテゴリーを設定する画面の一例を示す図である。図１３に示す送信先カテゴリー選択画面は、例えば、図１２に示す配信プレビューにおいて「設定終了」ボタン４６７が操作されると表示されるものである。
【００４０】
画面４５６は、送信先のメールアドレス及びカテゴリーを組にして表示する。図１３では、画面４５６中に４件分が表示されているが、送信先の数は特に限定されない。ボタン４５３及び４５４は、送信者を昇順又は降順に選択するボタンであり、図１３では、選択画面４６０に「ｙａｍａｄａ＠ａａａ．ｂｂｂ．ｃｏ．ｊｐ」が表示されており、このアドレスのユーザが選択されていることとなる。選択画面４６０では、カテゴリー値として「１」がセットされているが、ボタン４５８又は４５９に触れることで、昇順又は降順にその値を変更することも可能である。また、変更される数値は図１２と同様に、カテゴリー選択部４５５の表示内容で確認することができる。カテゴリー値の変更は、「ＯＫ」ボタン４５１に触れて初めて設定が有効になり、確定する。また、設定されたカテゴリー値は、「キャンセル」ボタン４５２に触れることで、初期化される。本実施形態では、カテゴリー値の初期値を例えば「１」としている。以上の設定が完了した後に、管理者が「設定終了」ボタン４５７に触れることで、送信先のカテゴリー設定が終了する。
【００４１】
送信先のカテゴリー値の設定が終了すると、デジタル複合機２５０は、ステップＳ１２０２及びＳ１２０３で行われたカテゴリー分けの各結果に基づいて、ＩＤを割り当てたジョブを作成する（ステップＳ１２０４）。本実施形態の場合では、ジョブに対して一意のＩＤを割り当てる仕様としており、管理者のみ、その値を知ることができ（図１４参照）、配信先のメンバーには管理者がオフラインで伝達する。以上の動作が終了すると、スキャンされた画像に対して所定の画像処理を施し（ステップＳ１２０５）、その後、画像を送信する（ステップＳ１２０６）。
【００４２】
なお、本実施形態では、送信されたジョブを各電子ペーパーで図１１に示すフローで閲覧することができるようにしている。
【００４３】
先ず、電子ペーパーを使用するために、パスワードにて本人確認を行う（ステップＳ１３０１）。本人確認は、デジタル複合機２５０にて行われる。許可されると、電子ペーパーのユーザ（メンバー）は、管理者より連絡されたジョブに対するＩＤを入力して、デジタル複合機２５０に送信する（ステップＳ１３０２）。すると、電子ペーパーの画面がページを閲覧する確認画面（図示せず）に変化する。この確認画面上で、ページ更新を選択（ＹＥＳ）すると、どのページをどのユーザが確認したかという情報を、ＬＡＮ５００を通じてデジタル複合機２５０に通知する（ステップＳ１３０４）。
【００４４】
デジタル複合機２５０では、通知された情報をコントローラ内のＲＡＭ１０７にＣＰＵ１０３を使って管理している。管理情報は、例えば、図１５に示すように、ＩＤ、ユーザ及び閲覧ページを１組にして管理されている。図１５に示す例では、ユーザを電子メールアドレスで特定して管理しているが、他の管理番号を用いて管理しても構わない。
【００４５】
そして、このような送受信の処理が、閲覧者が一連（もしくは途中まで）の資料の確認を終了するまで継続される（ステップＳ１３０５）。
【００４６】
このような本実施形態では、上述のような管理により、閲覧者（ユーザー）は、予め閲覧可能とされているページのみを受信して閲覧することができ、更に、どの閲覧者がどのページを閲覧したかという情報もデジタル複合機２５０が把握することが可能である。
【００４７】
なお、デジタル複合機２５０については、画像データを生成するデジタル複合機と実際に配信データを管理するデジタル複合機とが一体化されている必要はなく、これらが個別に設けられていてもよい。但し、この場合は、ＩＤの発行は管理するデジタル複合機にて行われる。
【００４８】
（第２の実施形態）
次に、本発明の第２の実施形態について説明する。第２の実施形態では、画像表示管理処理の内容が第１の実施形態と相違している。第１の実施形態では、デジタル複合機２５０を使って紙原稿のデータを電子ペーパーに配信しているが、本実施例では、コンピュータ（ＰＣ）１５０にて作成された電子データを電子ペーパーに配信する。なお、本発明において、電子データはコンピュータ１５０で作成されたものに限定されることはなく、他の機器によって予め作成されたものでも構わない。図１６は、管理者がコンピュータ１５０で送信する電子データを選択し、その電子情報を電子ペーパー９００に送信する一連の流れを示すフローチャートである。なお、一連の処理のための管理者の操作は、第１の実施形態では操作部４００を介して行われるが、本実施形態では、コンピュータ１５０を介して行われる。また、本実施形態では、デジタル複合機２５０の操作部４００で行った画面をリモート操作で、コンピュータ１５０上で実現するように構成している。このため、コンピュータ１５０は、デジタル複合機２５０と常に通信しながら以降の動作を行うこととなる。
【００４９】
電子情報の配信者（ここでは管理者）は、先ず、配信する電子データを選択する（ステップＳ１８０１）。選択された電子情報は、ＰＤＬ（ページ記述言語）のジョブとして、一旦、デジタル複合機２５０に送信され、デジタル複合機２５０において、PostScriptで記述されたデータが印刷や表示が可能なラスタ画像データに展開される（ステップＳ１８０２）。展開された情報は、サムネール化されたラスタ情報として、１ページ毎にコンピュータ１５０に送信される（ステップＳ１８０３）。
【００５０】
その後、第１の実施形態と同様に、コンピュータ１５０に送信されたラスタ画像に対して、図１２に示す画面がコンピュータ１５０のディスプレイに表示されるので、管理者は、この画面を介したリモート操作動作として、選択されるページ毎にカテゴリー分けを行う（ステップＳ１８０４）。管理者は、送信される電子情報のカテゴリー分けを終了すると、図１３に示す画面を介して、送信先のカテゴリー分けを行う（ステップＳ１８０５）。
【００５１】
これらの設定が終了すると、デジタル複合機２５０は、ＩＤを割り当てたジョブを作成し、そのＩＤを、管理者、即ちコンピュータ１５０の操作者に通知する（ステップＳ１８０６）。以後、デジタル複合機２５０では、ラスタ画像データに展開された画像データ（ＲＩＰデータ）に、カラーマネージメント処理が施される（ステップＳ１８０７）。以上の処理が終了すると、ＲＩＰデータに閲覧用の付随データを付加して、各配信者の元へ電子メールにて情報が配信される（ステップＳ１８０８）。その後の閲覧は、第１の実施形態と同様にして行われる。
【００５２】
このような第２の実施形態によっても、第１の実施形態と同様の効果が得られる。
【００５３】
なお、これらの実施形態では、電子メールを介して情報を配信しているが、他の手段を介して送信しても構わない。
【００５４】
また、本発明の実施形態は、例えばコンピュータがプログラムを実行することによって実現することができる。また、プログラムをコンピュータに供給するための手段、例えばかかるプログラムを記録したＣＤ−ＲＯＭ等のコンピュータ読み取り可能な記録媒体又はかかるプログラムを伝送するインターネット等の伝送媒体も本発明の実施形態として適用することができる。また、上記のプログラムも本発明の実施形態として適用することができる。上記のプログラム、記録媒体、伝送媒体及びプログラムプロダクトは、本発明の範疇に含まれる。
【図面の簡単な説明】
【００５５】
【図１】本発明の第１の実施形態に係る画像表示管理システムの構成を示すブロック図である。
【図２】デジタル複合機２５０の構成を示す図である。
【図３】コントローラユニットの構成を示すブロック図である。
【図４】スキャナ画像処理部７００の構成を示すブロック図である。
【図５】スキャナ画像処理部７００の構成を示すブロック図である。
【図６】デジタル複合機の操作部４００を示す模式図である。
【図７】液晶操作パネル４０１に表示される通常の送信画面が示す図である。
【図８】ＥＰＤ方式の表示部を示す断面図である。
【図９ａ】電気泳動ディスプレイ１３０を示す模式図である。
【図９ｂ】他の電気泳動ディスプレイ１４０を示す模式図である。
【図９ｃ】懸濁粒子ディスプレイ１５０を示す模式図である。
【図９ｄ】複数の重クロム球体を含むディスプレイ１６０を示す模式図である。
【図１０】第１の実施形態に係る画像表示管理システムの動作を示すフローチャートである。
【図１１】電子ペーパーでの閲覧の方法を示すフローチャートである。
【図１２】セットした原稿をカテゴリー分けするためのプレビュー画面の一例を示す図である。
【図１３】送信先のカテゴリーを設定する画面の一例を示す図である。
【図１４】ジョブのＩＤを表示する画面の一例を示す図である。
【図１５】管理情報の内容の一例を示す図である。
【図１６】管理者がコンピュータ１５０で送信する電子データを選択し、その電子情報を電子ペーパー９００に送信する一連の流れを示すフローチャートである。
【符号の説明】
【００５６】
１００：コントローラユニット
１０３：ＣＰＵ
１０７：ＲＡＭ
１０８：ＲＯＭ
１５０：コンピュータ、サーバ（ＰＣ）
２００：スキャナ
２５０：デジタル複合機
３００：プリンタ
４００：操作部
７００：スキャナ画像処理部
８００：プリンタ画像処理部
９００、９０１、９０２：電子ペーパー
【図１】
2006345072.tif 000003
【図２】
2006345072.tif 000004
【図３】
2006345072.tif 000005
【図４】
2006345072.tif 000006
【図５】
2006345072.tif 000007
【図６】
2006345072.tif 000008
【図７】
2006345072.tif 000009
【図８】
2006345072.tif 000010
【図９ａ】
2006345072.tif 000011
【図９ｂ】
2006345072.tif 000012
【図９ｃ】
2006345072.tif 000013
【図９ｄ】
2006345072.tif 000014
【図１０】
2006345072.tif 000015
【図１１】
2006345072.tif 000016
【図１２】
2006345072.tif 000017
【図１３】
2006345072.tif 000018
【図１４】
2006345072.tif 000019
【図１５】
2006345072.tif 000020
【図１６】
2006345072.tif 000021